(57)【要約】      （修正有）【課題】屋根板材の桁行き方向継手部分における形状の簡素化、防水性の改善を図る横葺き用屋根板材を提供する。【解決手段】横葺き用屋根板材は、左右一対の短辺部１ａ、１ｂと、一対の長辺部１ｃ、１ｄとを有し、屋根板材本体１を構成する。棟側の長辺部に、軒乃至棟方向に沿って隣接配置する屋根板材に嵌合可能な下ハゼ２を設け、軒側の長辺部に、軒乃至棟方向に沿って隣接配置する屋根板材の下ハゼ２に嵌合可能な上ハゼ３を設ける。一方の短辺部に下継手４を設ける。下継手４は、下ハゼ２乃至上ハゼ３に向けて伸延する少なくも一つの凸条６ｂと、凸条６ｂを両側に挟む一対の凹条を備え、凸条６ｂをその幅方向に沿って横断して一対の凹条にそれぞれ連通する一または二以上の横溝８を形成する。横溝８には、少なくとも上ハゼ３が設けられた長辺部１ｃ側に位置する溝側壁が、屋根板材本体１の平面視において長手方向中央部へ向けて傾斜した下り勾配を有する。【選択図】図７
2015197015.tif 000002
【特許請求の範囲】
【請求項１】
左右一対の短辺部と、これら各短辺部をその端部において挟み込む一対の長辺部とを有し、これら短辺部、長辺部によって外形輪郭を区画形成する屋根板材本体を備え、前記左右一対の短辺部を、桁行き方向に沿って隣接配置する屋根板材にそれぞれつなぎ合わせる一方、前記一対の長辺部を、軒乃至棟方向に沿って隣接配置する屋根板材にそれぞれつなぎ合わせて建築構造物の屋根を葺きあげる横葺き用屋根板材であって、
前記一対の長辺部のうちの、棟側の長辺部に、軒乃至棟方向に沿って隣接配置する屋根板材の上ハゼに嵌合可能な下ハゼを設け、軒側の長辺部に、軒乃至棟方向に沿って隣接配置する屋根板材の下ハゼに嵌合可能な上ハゼを設け、
前記一対の短辺部のうちの、一方の短辺部に、桁行き方向に沿って隣接配置する屋根板材の継手部分に重ね合わせて屋根板材同士のつなぎ合わせを可能とする下継手を設け、他方の短辺部に、桁行き方向に沿って隣接配置する屋根板材の継手部分に重ね合わせて屋根板材同士のつなぎ合わせを可能とする上継手を設け、
前記下継手は、前記下ハゼ乃至上ハゼに向けて伸延する少なくも一つの凸条と、この凸条を両側に挟む一対の凹条とを備え、
前記凸条に、該凸条をその幅方向に沿って横断して該一対の凹条にそれぞれ連通する一または二以上の横溝を形成してなり、
前記横溝は、少なくとも前記上ハゼが設けられた長辺部側に位置する溝側壁が、前記屋根板材本体の平面視においてその長手方向中央部へ向けて傾斜した下り勾配を有することを特徴とする横葺き用屋根板材。
【請求項２】
前記横溝は、前記長辺部に平行な直線を基準線とした場合に、溝側壁が該基準線に対して３０〜６０°の角度を有することを特徴とする請求項１記載の横葺き用屋根板材。
【請求項３】
前記凸条は、桁行き方向に沿って隣接配置する屋根板材の継手部分に重ね合わさった際に、該隣接配置する屋根板材との相互間で極僅かな隙間を形成する頂面壁部を有することを特徴とする請求項１または２に記載の横葺き用屋根板材。
【請求項４】
前記下継手は、前記上ハゼに向けて上向きに折り返され、桁行き方向に沿って隣接配置する屋根板材の継手部分に連係可能な折り返し片を有することを特徴とする請求項１〜３のいずれか１に記載した横葺き用屋根板材。
【請求項５】
前記下継手は、前記下ハゼに向け下向きに折り返され、桁行き方向に沿って隣接配置する屋根板材の継手部分に連係可能な折り返し片を有し、
該折り返し片に、前記凹条の下端につながり、該凹条に沿って流下する雨水を軒側に向けて排出する溝部を設けたことを特徴とする請求項１〜４のいずれか１に記載した横葺き用屋根板材。
【請求項６】
前記上継手は、桁行き方向に沿って隣接配置する屋根板材の外表面に向けて指向する屈曲先端部を有することを特徴とする請求項１〜５のいずれか１に記載した横葺き用屋根板材。
【発明の詳細な説明】
【技術分野】
【０００１】
本発明は、一般住宅や事務所、マンション、福祉施設、リゾート施設等の屋根において幅広く使用される横葺き用屋根板材に関するものである。
【背景技術】
【０００２】
従来、横葺き用屋根板材としては、桁行き方向に長尺で、軒乃至棟方向において短尺な、矩形状をなす板状体が使用されている。かかる屋根板材は、短尺側の辺に上継手、下継手が、また、長尺側の辺に上ハゼ、下ハゼがそれぞれ設けられているのが普通であり、上継手、下継手により屋根板材同士を桁行き方向に連結する一方、上ハゼ、下ハゼにより屋根板材同士を軒乃至棟方向に連結している。
【０００３】
ところで、この種の屋根板材にあっては、上継手と下継手とによって連結された継手部分は、単なる重ね合わせ構造にすぎないものであり雨水の侵入は不可避であることから下地材への漏水の防止を図るべく、とくに下継手には、曲げ加工やプレス加工等によって複数本の凹部を設け、継手部分から侵入してくる雨水を該凹部を通して軒側に流下させるようにしていたが、かかる部位はその形状が複雑になるため効率的な製造が行い難く製造コストの上昇が避けられない不利があるうえ、曲げ加工やプレス加工等の際に板材には大きな成形ひずみが発生して品質の安定化を図るのも困難な状況にあった。
【０００４】
この点に関する先行技術として例えば、特許文献１には、上下端に雄雌連結構造を形成し、左右方向の一端縁には端部を内側方に折り返して折り返し片を形成し、折り返し片の先端よりも外側方の化粧面上に、化粧面中央の水下側へ傾斜して突出した上下に略同一形状の凸部を複数個形成した下連結部を形成すると共に、凸部間に凸部の傾斜に対して垂直方向の重なりを設けると共に隣接する凸部の上端と下端が上下方向に一致または重なりを設け、他端縁には端部を下連結部よりも長く外側方に突出して上連結部を形成した金属製屋根板材と、金属製屋根板材の上連結部以外の裏面に断熱材を形成したものが提案されている。
【先行技術文献】
【特許文献】
【０００５】
【特許文献１】特許第５０２２６６２号公報
【発明の概要】
【発明が解決しようとする課題】
【０００６】
しかしながら、上記文献で提案されている屋根板材にあっては、下連結部に形成される複数個の凸部は、局所的に設けられるものであり、成形加工時におけるひずみに関しては依然として軽減するまでには至っていない。また、この文献で提案されている板材は、内側方に折り返した折り返し片を設け、これにより防水性を高めているものの、隣接配置する屋根板材の突出片が重ね合わさった状態では、浸透圧によりその重ね合わせ部分を通して雨水が入り込むことが懸念され、それを回避するため、途中に凹部を形成する等の加工を余儀なくされており、形状の簡素化を図るにも限界があるのが現状であった。
【０００７】
本発明の目的は、屋根板材同士を桁方向につなぎあわせる継手部分につき、その形状の簡素化を図りつつも高い防水性を維持することができる横葺き用屋根板材を提案するところにある。
【課題を解決するための手段】
【０００８】
本発明は、左右一対の短辺部と、これら各短辺部をその端部において挟み込む一対の長辺部とを有し、これら短辺部、長辺部によって外形輪郭を区画形成する屋根板材本体からなり、前記左右一対の短辺部を、桁行き方向に沿って隣接配置する屋根板材にそれぞれつなぎ合わせる一方、前記一対の長辺部を、軒乃至棟方向に沿って隣接する屋根板材にそれぞれつなぎ合わせて建築構造物の屋根を葺きあげる横葺き用屋根板材であって、前記一対の長辺部のうちの、棟側の長辺部に、軒乃至棟方向に沿って隣接配置する屋根板材に嵌合可能な下ハゼを設け、軒側の長辺部に、軒乃至棟方向に沿って隣接配置する屋根板材の下ハゼに嵌合可能な上ハゼを設け、前記一対の短辺部のうちの、一方の短辺部に、桁行き方向に沿って隣接する屋根板材の継手部分に重ね合わせて屋根板材同士のつなぎ合わせを可能とする下継手を設け、他方の短辺部に、桁行き方向に沿って隣接配置する屋根板材の継手部分に重ね合わせて屋根板材同士のつなぎ合わせを可能とする上継手を設け、前記下継手は、前記下ハゼ乃至上ハゼに向けて伸延する少なくとも一つの凸条と、この凸条を両側に挟む一対の凹条とを備え、前記凸条に、該凸条をその幅方向に沿って横断して該一対の凹条にそれぞれ連通する一または二以上の横溝を形成してなり、前記横溝は、少なくとも前記上ハゼが設けられた長辺部側に位置する溝側壁が、前記屋根板材本体の平面視においてその長手方向中央部へ向けて傾斜した下り勾配を有することを特徴とする横葺き用屋根板材である。
【０００９】
上記の構成からなる本発明においては、
１）前記横溝は、前記長辺部に平行な直線を基準線とした場合に、溝側壁が該基準線に対して３０〜６０°の角度を有するものとすること、
２）前記凸条を、桁行き方向に沿って隣接配置する屋根板材の継手部分に重ね合わさった際に、該隣接配置する屋根板材との相互間で極僅かな隙間を形成する頂面壁部を有するものとすること、
３）前記下継手に、前記上ハゼに向けて上向きに折り返され、桁行き方向に沿って隣接配置する屋根板材の継手部分に連係可能な折り返し片を設けること、
４）前記下継手に、前記下ハゼに向けて折り返され、桁行き方向に沿って隣接配置する屋根板材の継手部分に連係可能な折り返し片を有し、該折り返し片に、前記凹条の下端につながり、該凹条に沿って流下する雨水を軒側に向けて排出する溝部を形成すること、さらに、
５）前記上継手は、桁行き方向に沿って隣接配置する屋根板材の外表面に向けて指向する屈曲先端部を有すること、
が課題解決のための具体的手段して好ましい。
【発明の効果】
【００１０】
本発明の横葺き用屋根板材によれば、一対の長辺部のうちの、棟側の長辺部に、軒乃至棟方向に沿って隣接配置する屋根板材の上ハゼに嵌合可能な下ハゼを設け、軒側の長辺部に、軒乃至棟方向に沿って隣接配置する屋根板材の下ハゼに嵌合可能な上ハゼを設け、一対の短辺部のうちの、一方の短辺部に、桁行き方向に沿って隣接配置する屋根板材の継手部分に重ね合わせて屋根板材同士のつなぎ合わせを可能とする下継手を設け、他方の短辺部に、桁行き方向に沿って隣接配置する屋根板材の継手部分に重ね合わせて屋根板材同士のつなぎ合わせを可能とする上継手を設け、下継手を、前記下ハゼ乃至上ハゼに向けて伸延する少なくも一つの凸条と、この凸条を両側に挟む一対の凹条とを備えたもので構成し、凸条に、該凸条をその幅方向に沿って横断し、かつ、該一対の凹条にそれぞれ連通する一または二以上の横溝を設け、該横溝の、少なくとも前記上ハゼが設けられた長辺部側に位置する溝側壁に、前記屋根板材本体の平面視においてその幅方向中央部へ向けて傾斜した下り勾配を付与したため、雨水が継手部分を通して侵入したとしても、該雨水は、屋根板材本体の長手方向位中央側に位置する凹所を通して流下する。このため、雨水が下地材へ流れ落ちることがない（防水性が高められる）。
【００１１】
また、本発明の横葺き用屋根板材によれば、前記溝側壁は、前記長辺部に平行な直線を基準線とした場合に、該基準線に対して３０〜６０°の角度を有することとしたため、継手部分から侵入した雨水が屋根板材本体の幅方向の端部側に位置する凹条に到達することがあったとしても、そこを通して流れる雨水は横溝を通して長手方向中央側に位置する凹条へと流し込むことが可能となる。
【００１２】
本発明の横葺き用屋根板材によれば、凸条は、桁行き方向に沿って隣接配置する屋根板材の継手部分に重ね合わさった際に、該隣接配置する屋根板材との相互間で極僅かな隙間を形成する頂面壁部を有するものとしたため、浸透圧により雨水が侵入するのを防止することができる。
【００１３】
本発明の横葺き用屋根板材によれば、下継手に、上ハゼに向けて上向きに折り返され、桁行き方向に沿って隣接配置する屋根板材の継手部分に連係可能な折り返し片を形成したため、屋根板材の、とくに下ハゼの連結部位からの雨水の侵入を防止することができる。
【００１４】
また、本発明の横葺き用屋根板材によれば、下継手に下ハゼに向けて下向きに折り返され、桁行き方向に沿って隣接配置する屋根板材の継手部分に連係可能な折り返し片を設け、この折り返し片に凹条を流下する雨水を外界へ向けて排出する溝部を設けるようにしたため、上ハゼの連結部位からの雨水の侵入を回避するとともに、継手部分から侵入した雨水が凹条を流下する場合において、該凹条を流下する雨水を該溝部かから軒側へと効率よく排出することができる。
【００１５】
さらに、本発明の横葺き用屋根板材によれば、上継手に、隣接配置する屋根板材の外表面に向けて指向する屈曲先端部を設けるようにしたため、継手部分において形成される隙間をより小さくすることが可能となり、雨水の侵入をより少なくすることができる。
【図面の簡単な説明】
【００１６】
【図１】本発明に従う横葺き用屋根板材の実施の形態を示した正面図である。
【図２】（ａ）（ｂ）は図１の側面を示した図であり、（ａ）は右側面図、（ｂ）は左側面図である。
【図３】図１の背面図である。
【図４】図１の平面図である。
【図５】図１の底面図である。
【図６】図４のＡ−Ａ断面を示した図である。
【図７】図１に示した屋根板材の外観斜視図である。
【図８】屋根板材の連結状態を示した図である。
【図９】図４のＢ−Ｂ断面を示した図である。
【図１０】上継手の要部を拡大して示した図である。
【図１１】図４のＣ−Ｃ断面を示した図である。
【図１２】下継手の上に上継手を重ね合わせた状態を示した図である。
【図１３】下継手の要部を拡大して示した図である。
【図１４】図４のＤ−Ｄ断面を示した図である。
【図１５】横溝の要部を拡大して示した図である。
【図１６】折り返し片の側面を拡大して示した図である。
【図１７】上継手の要部を拡大して示した図である。
【図１８】下継手と上継手を重ね合わせて屋根板材同士をつなぎ合わせる直前の状態を示した図である。
【図１９】下継手と上継手を重ね合わせて屋根板材同士をつなぎ合わせた状態を示した図である。
【図２０】図１９のＥ−Ｅ断面を示した図である。
【図２１】屋根板材同士を軒乃至棟方向につなぎ合わせる状態を示した図である。
【図２２】本発明に従う屋根板材の他の例を要部（下継手）について示した図である。
【図２３】本発明に従う屋根板材の他の例を要部（下継手）について示した図である。
【図２４】本発明に従う屋根板材の他の例を要部（下継手）について示した図である。
【図２５】本発明に従う屋根板材の他の例を要部（下継手）について示した図である。
【図２６】本発明に従う屋根板材の他の例を要部（上ハゼ）について示した図である。
【図２７】本発明に従う屋根板材の他の例を要部（下継手の折り返し片）について示した図である。
【図２８】本発明に従う屋根板材の他の例を要部（下継手）について示した図である。
【発明を実施するための形態】
【００１７】
以下、図面を参照して、本発明をより具体的に説明する。
図１は、本発明に従う横葺き用屋根板材の実施の形態を示した正面図であり、図２（ａ）（ｂ）は図１に示した横葺き用屋根板材の右側面、左側面を示した図である。また、図３は、図１に示した横葺き用屋根板材の背面を示した図であり、図４は、図１の平面を示した図であり、図５は図１の底面図であり、図６は、図４のＡ−Ａ断面図であり、さらに図７は、本発明に従う横葺き用屋根板材の全体を示した外観斜視図である。
【００１８】
なお、本発明に従う横葺き用屋根板材は、板厚が０．３〜０．７ｍｍ程度の亜鉛めっき鋼板、アルミニウム亜鉛合金めっき鋼板、アルミニウム板、ステンレス鋼板、銅板等の金属製の板状部材を用い、それらの板状部材を曲げ加工（ロールによる曲げ加工、プレスによる曲げ加工）することによって成形される。また、本発明において「桁行き方向に沿って隣接配置する屋根板材」、あるいは「軒乃至棟方向に沿って隣接配置する屋根板材」とは、本発明に従う横葺き用屋根板材と同じ構成からなる屋根板材をいうものとする。
【００１９】
図１〜７における符号１は、働き長さ（働き幅）Ｌに沿って山部ｙと谷部ｘが例えば２〜５ｍｍ程度の段差をもって交互に配列された凹凸パターンからなる屋根板材本体である。この屋根板材本体１は、左右一対の短辺部１ａ、１ｂと、その端部においてそれらを挟み込む一対の長辺部１ｃ、１ｄを有しており、これら短辺部１ａ、１ｂ、長辺部１ｃ、１ｄによって外形輪郭を区画形成している。かかる屋根板材本体１を備えた屋根板材は屋根の噴きあげに際して、短辺部１ａ、１ｂを桁行き方向に向け、長辺部１ｃ、１ｄを軒乃至棟方向に向けて配置される。ここで、長辺部１ｃ、１ｄのうち、長辺部１ｃを「軒側の長辺部１ｃ」で表示し、長辺部１ｄを「棟側の長辺部１ｄ」と記すこととする。
【００２０】
また、２は、棟側の長辺部１ｄに設けられた下ハゼ、３は、軒側の長辺部１ｃに設けられた上ハゼである。
【００２１】
下ハゼ２は、軒乃至棟方向に沿って隣接配置する屋根板材（水上側に配置される屋根板材）の上ハゼに嵌合させて屋根板材同士を軒乃至棟に沿って連結するものであって、図６に示すように上ハゼ３に向け上向きに折り返され、軒側に向けて開放された凹所を形成する第一の折り返し片２ａと、この第一の折り返し片２ａの先端から棟側に向けて折り返された第二の折り返し片２ｂと、この第二の折り返し片２ｂの後端に屈曲片２ｃを介して一体連結するとともに、その下面を下地材に当接させる当接面とするフランジ２ｄから構成されている。屋根板材の下地材への固定は、フランジ２ｄに釘やビスを打込むことによって行う。下ハゼ２は、屋根板材本体１の働き長さＬ（働き幅）の全長にわたり連続して設けるのを基本とするが、ハゼ部における防水性の改善を図る点から後述する下継手、上継手の任意の部分まで延長させた延長部２′を設けておくことができる(図１、３、４、７参照)。
【００２２】
また、上ハゼ３は、軒乃至棟方向に沿って隣接配置する屋根板材（水下側に配置される屋根板材）の下ハゼ２に嵌合して屋根板材同士を軒乃至棟方向に沿って連結するものであって、下ハゼ２に向け下向き状態で折り返され、棟側に向けて開放された凹所を形成するＬ字状断面をなす折り返し片３ａから構成されている。図８に屋根板材を下地材Ｓに配置して釘やビスにて固定することによってその下ハゼ２と隣接配置する屋根板材の上ハゼ３とを嵌合させた状態を示す。
【００２３】
また、４は、屋根板材本体１の短辺部１ａに一体的に設けられた下継手、５は、屋根板材本体１の短辺部１ｂに一体的に設けられた上継手である。
【００２４】
下継手４は、桁行き方向に沿って隣接配置する屋根板材の継手部分（上継手５）に重ね合わさって屋根板材同士をつなぎ合わせる板状体からなるものであって、下ハゼ２から上ハゼ３に至るまでの長さＬ１（図４参照）らなる一対の長辺４ａ、４ｂと、長辺４ａ、４ｂをその端部において挟み込む一対の短辺４ｃ、４ｄを有し、これら長辺４ａ、４ｂ、短辺４ｃ、４ｄによって輪郭形状を区画形成する継手本体４ｅを備えている。なお、短辺４ｃ、短辺４ｄの幅寸法Ｗ１（図４参照）は、隣接配置する屋根板材の継手部分（上継手５）の重ね合わせ代に応じて任意に設定される。また下ハゼ２の延長部２′についても適宜変更される。
【００２５】
また、上継手５は、桁行き方向に沿って隣接配置する屋根板材の継手部分（下継手４）に重ね合わせて屋根板材同士をつなぎ合わせるものであって、一対の長辺５ａ、５ｂとこの長辺５ａ、５ｂをその端部においてつながる一対の短辺５ｃ、５ｄを有し、これら長辺５ａ、５ｂ、短辺５ｃ、５ｄによって外形輪郭を区画形成する継手本体５ｅを備えている。継手本体５ｅとしては、隣接配置する屋根板材の継手部分（下継手４）の全域を覆うことができる幅、長さを有する板状体が適用される。
【００２６】
継手本体５ｅの端部側に位置する長辺５ｂには、図９にその要部断面（図４のＢ−Ｂ断面）を示すように、隣接配置する屋根板材の外表面に向けて指向する屈曲先端部５ｆが設けられている。また上継手５の継手本体５ｅの短辺５ｄには、図１０にその側面を拡大して示したように、屋根板材本体１の長辺部１ｄに一体連結し上ハゼ３に向け上向きに折り返されたＣ字状断面をなす折り返し片５ｈが形成されており、短辺５ｃには図２（ｂ）に示すように上ハゼ３と同等の形状を有するＬ字状断面をなす係止片５ｇが形成されている。
【００２７】
また、６ａ〜６ｃは、下継手４の継手本体４ｅの上面（上継手５との重ね合わせ面）に設けられた凸条である。この凸条６ａ〜６ｃは、図１１に示すような断面形状（図４のＣ−Ｃ断面）を有し、下ハゼ２乃至上ハゼ３に向けて伸延しており、その端部は継手本体の短辺４ｃ、４ｄに達している。凸条６ａ〜６ｃのうち、凸条６ｂの高さは他の凸条６ａ、６ｃよりも若干低くなっていて、図１２に示すように、この部位に隣接配置する屋根板材の継手部分（上継手５）を重ね合わせて屋根板材をつなぎ合わせたときに、該屋根板材と該凸条６ｂの頂面壁部との間で極僅かな隙間ｔを形成するようになっている。凸条６ａ、６ｃについては、下継手４に上継手５が重ね合わさった際に、継手部分を山部ｙと同じ高さの山部となるようにその高さを設定することができる。また、凸部６ａ〜６ｃのうち、凸条６ａについてはその断面形状を、平坦な頂面壁部とこの壁部の端部につながる傾斜壁部とを組み合わせた台形状のものを、凸部６ｂについては、凸部６ａ側の側壁を垂直に起立する壁部とし、凸部６ｃ側の側壁を傾斜壁部としてその上端に平坦な頂面壁部を形成した片台形状のものを、凸部６ｃについては、垂直壁部を設けたもの例として示したが、凸部６ａ〜６ｃの断面形状は種々の形状に変更することが可能であり、図示のものに限定されることはない。とくに、凸部６ｂにおいて垂直に起立する壁部は、図１３にその要部を拡大して示すように、凸条６ａ側に倒れ込む傾斜壁部としてその部位をオーバーハング状にすることも可能であり、これにより防水性をより一層高めることができる。なお、凸条６ａおよび凸条６ｃの少なくも一方の頂壁面部には、隣接配置する屋根板材の背面に当接してその相互間での雨水の浸透を防止するパッキンを設けておくこともできる。
【００２８】
また、７ａ、７ｂは、下継手４の継手本体４ｅに設けられ、該凸条６ａ〜６ｃのうち、凸条６ｂを両側に挟む一対の凹条である。この凹条７ａ、７ｂも下ハゼ２乃至上ハゼ３に向けて伸延しており、その端部は継手本体の短辺４ｃ、４ｄに達している。ここに、凹条７ａ、７ｂは、凸条６ｂと組み合わさって一つの防水ユニットを形成するものであって、例えば、凸条６ａ、６ｃの間に凸条６ｂが二つ設けられる場合には、凹条７ａ、７ｂは該凸条６ｂの各両側を挟むように三本設けられる。
【００２９】
８は、凸条６ｂに設けられた横溝である。この横溝８は、図１４に示すように、凸条６ｂをその幅方向に沿って横断して凹条７ａ、７ｂにそれぞれ連通している。
【００３０】
この横溝８の溝側壁８ａの少なくとも上ハゼ３が設けられた長辺部１ｃ側に位置する溝側壁８ａ１は、屋根板材本体１の平面視にいてその長手方向中央部（働き長さ方向）に向けて傾斜した下り勾配を有しており、その角度は、その要部を拡大して図１５に示す如く、長辺部１ｃ、１ｄに平行な直線を基準線ｍとした場合に、溝側壁８ａが基準線ｍに対して３０〜６０°程度に設定される。ここに、角度θを３０〜６０°程度に設定することにより、雨水が凹条７ｂに沿って流下する場合に、横溝８を通して短辺部１ａ寄りに位置する凹条７ａに効率的に誘導することができる。なお、溝側壁８ａ１に対向する溝側壁８ａ２については溝側壁８ａ１と同じ角度に設定できるが、溝側壁８ａ２の角度については任意に変更し得る。
【００３１】
また、９は、下継手４の継手本体の短辺４ｄに一体的に設けられ、上ハゼ３に向けて折り返されたＣ字断面をなす折り返し片である。この折り返し片９は、その側面を拡大して図１６（下ハゼ２の延長部２′、この延長部２′につながる第二の折り返し片２ｂ、屈曲片２ｃ、フランジ２ｄは破線で表示）に示すように、下ハゼ２の第一の折り返し片２ａとほぼ同等の形状からなっている。この折り返し片９は、屋根板材同士をつなぎ合わせる際の突き合わせ面（下ハゼ２同士の突き当たり面、図１９の符号Ｐ参照）からの雨水の侵入を防止する「返し」としての機能を有するものであって、幅端の一方が下ハゼ２の第一の折り返し片２ａの端部に連結しており、桁行き方向に沿って隣接配置する屋根板材の継手部分（上継手５）を重ね合わせるとき、該継手部分（上継手５）に設けられた折り返し片（５ｂ）に連係しつつ該隣接配置する屋根板材の下ハゼ２に嵌合するようになっている。
【００３２】
また、１０は、下継手４の継手本体４ｅの短辺４ｃに一体的に設けられ、下ハゼ２に向けて下向きに折り返された折り返し片である（図２、図４、図７参照）。この折り返し片１０は、幅端の一方が上ハゼ３の端部に連結しており、桁行き方向に沿って隣接配置する屋根板材の継手部分（上継手５）の内側に嵌合するようになっている。
【００３３】
折り返し片１０は、その要部を拡大して図１７に示すように、幅端の一方が上ハゼ３の端部に極僅な段差を形成して一体連結するとともにその上端が下継手４の継手本体４ｅの短辺４ｃに一体連結した垂れ壁１０ａと、この垂れ壁１０ａの下端に一体連結し、下継手４の継手本体とほぼ平行に延びる底壁１０ｂにて構成される。
【００３４】
また、１１は、折り返し片１０に設けられ、凹条６ａ、６ｂにそれぞれつながる溝部である。凹条６ａ、６ｂを通して流下する雨水は、溝部１１に流れ込み、その溝部１１の下端から外界へと排出される。
【００３５】
さらに１２は、上ハゼ３の折り返し片３ａに設けられた凹凸である（図１、図５参照）。この凹凸１２は、屋根板材本体１、下ハゼ２、上ハゼ３、下継手４、上継手５を一枚板を用いて所定の形状に曲げ加工を行う際の各部位における変形量の違いを吸収して成形ひずみを軽減するために設けられるものであって、これにより形状の変形を回避することができるようになっている。
【００３６】
図１８は、上記の構成からなる屋根板材の下継手４と、これに隣接配置する屋根板材の上継手５を重ね合わせて屋根板材同士を桁行き方向につなぎ合わせる直前の状態を示した図であり、図１９は、屋根板材のつなぎ合わせを完了した状態を示した図であり、図２０は、図１９のＥ−Ｅ断面を示した図（上継手５のみを断面で表示）である。建築構造物の屋根を葺きあげるには、同じ構成からなる屋根板材を複数枚用意しておき、屋根板材の下継手４と、これに隣接配置する屋根板材の上継手５を重ね合わせて屋根板材同士を桁行き方向につなぎ合わせていき、桁行きの末端に達したならば、屋根板材の水上げ側で同様の作業を繰り返し行っていけばよい。軒乃至棟方向において屋根板材同士をつなぎ合わせるには、図２１に示す如く、既につなぎ合わせを終えた屋根板材（水下げ側に位置する屋根板材）の下ハゼ２に、水上げ側に隣接配置される屋根板材の上ハゼ３を嵌合させる。
【００３７】
本発明に従う屋根板材よれば、下継手４と上継手５とを重ね合わせた継手部分から雨水が侵入したとしても、該雨水は、横溝８により、屋根板材の長手方向中央側に位置する凹条７ａを通って雨水が流下するため、該雨水が、凸条６ｃを乗り越えて下地材へと流れ落ちるおそれはない。
【００３８】
また、本発明に従う屋根板材の下継手４については、屋根板材本体１をその長手方向に沿って繰り返し曲げ加工を行うことによって成形した比較的単純な形状を有するものであるから、形状劣化を伴うような大きな成形ひずみが発生することはなく、品質の良好な屋根板材を効率的に製造し得る。
【００３９】
横溝８は、凸条６ｂに二つ設けたものを例として示したが、図２２に示すように一つ設けたものでもよいし、図２３に示すように三つ、あるいはそれ以上設けることも可能であり、この点については限定されない。
【００４０】
また、横溝８は、上ハゼ３側に位置する溝側壁の角度θが３０〜６０°であれば、凹条７ｂを流下する雨水を凹条７ａに向けて誘導し得る十分な効果が期待できるので、例えば図２４、図２５に示すようなものを適用しても構わない。横溝８の溝幅は、何れの例ものも５〜１００ｍ程度に設定することができる。
【００４１】
下継手４に上継手５を重ね合わせて屋根板材同士をつなぎ合わせたときに、屋根板材と凸条６ｂの頂面壁部との間に形成される隙間ｔ（図１２参照）は、浸透圧による雨水の侵入を抑制する観点から、１〜２ｍｍ程度となるようにするのがよく、そのためには凸条６ｃ、６ｄあるいは凸条６ｂのいずれかの高さを調整する。
【００４２】
また、本発明では、下継手４を構成する当にたって三つの凸条６ａ〜６ｃを設け、そのうちの中央に位置する凸条６ｂを凹条７ａ、７ｂで挟み込んだものを例として示したが、凸条６ｂとこの凸条６ａを挟む凹条７ａ、７ｂは二組以上設けることも可能であり、この点についても限定されることはない。
【００４３】
凹条７ａ、７ｂについては、屋根板材本体１の長手方向中央側に位置する凹条７ａの深さを、長手方向の端部側に位置する凹条７ｂの深さよりも深くすることも可能であり、この場合、横溝８には、各凹条７ａ、７ｂの底壁につながる傾斜をつけた溝底壁部を設けることができる。
【００４４】
また、本発明では、矩形状をなす同等幅の山部ｙと谷部ｘを交互に配列した凹凸パターンを有する屋根板材１を例にして説明したが、かかる凹凸パターンは、山部ｙ、谷部ｘの幅寸法、形状を含め任意に変更することが可能であり、図示のものに限定されることはない。
【００４５】
とくに、山部ｙと谷部ｘを交互に配列した凹凸パターンを有する屋根板材にあっては、谷部ｘの隣接部位に下継手４を設け、ここに上継手５を重ね合わせて屋根板材同士をつなぎ合わせた場合に、継手部分を山部ｙと同じ山部を形成することが可能であり、屋根板材のつなぎ合わせ部分が分かり難い一体感のある横葺き屋根を葺きあげることができる利点がある。
【００４６】
なお、本発明に従う屋根板材は、上ハゼ３の折り返し片３ａの縁部、下継手４に設けられた折り返し片１０の底壁１０ｂの縁部については、図６、図１７に示すように上側に折り返したものを示したが、それらの縁部については、図２６、図２７に示すように、下側に折り返してもよく、この点については限定されない。
【００４７】
また、下継手４の凸条６ｃの縁部は図１１に示したように上側に折り返したものを例として示したが、該縁部は、図２８に示すようにした下側に折り返したものであってもよく、この点についても限定されることはない。
【産業上の利用可能性】
【００４８】
本発明によれば、屋根板材同士を桁行き方向につなぎ合わせる継手部分につき、その形状の簡素化を図りつつも防水性を高めた横葺き用屋根板材が提供できる。
【符号の説明】
【００４９】
１    屋根板材本体
１ａ、１ｂ    短辺部
１ｃ、１ｄ    長辺部
２    下ハゼ
２ａ    第一の折り返し部
２ｂ    第二の折り返し部
２ｃ    屈曲片
２ｄ    フランジ
３    上ハゼ
３ａ  折り返し片
４    下継手
４ａ、４ｂ    長辺
４ｃ、４ｄ    短辺
４ｅ    継手本体
５    上継手
５ａ、５ｂ    長辺
５ｃ、５ｄ    短辺
５ｅ    継手本体
５ｆ    屈曲先端部
５ｇ    係止片
５ｈ    折り返し片
６ａ〜６ｃ    凸条
７ａ、７ｂ    凹条
８    横溝
８ａ  溝側壁
９    折り返し片
１０  折り返し片
１０ａ  垂れ壁
１０ｂ    底壁
１１    溝部
１２    凹凸
Ｓ      下地材
【図１】
2015197015.tif 000003
【図２】
2015197015.tif 000004
【図３】
2015197015.tif 000005
【図４】
2015197015.tif 000006
【図５】
2015197015.tif 000007
【図６】
2015197015.tif 000008
【図７】
2015197015.tif 000009
【図８】
2015197015.tif 000010
【図９】
2015197015.tif 000011
【図１０】
2015197015.tif 000012
【図１１】
2015197015.tif 000013
【図１２】
2015197015.tif 000014
【図１３】
2015197015.tif 000015
【図１４】
2015197015.tif 000016
【図１５】
2015197015.tif 000017
【図１６】
2015197015.tif 000018
【図１７】
2015197015.tif 000019
【図１８】
2015197015.tif 000020
【図１９】
2015197015.tif 000021
【図２０】
2015197015.tif 000022
【図２１】
2015197015.tif 000023
【図２２】
2015197015.tif 000024
【図２３】
2015197015.tif 000025
【図２４】
2015197015.tif 000026
【図２５】
2015197015.tif 000027
【図２６】
2015197015.tif 000028
【図２７】
2015197015.tif 000029
【図２８】
2015197015.tif 000030